(57)【特許請求の範囲】
【請求項１】
ユーザ機器（ＵＥ）の装置であって、前記装置は、
１または複数のアンテナを介して進化型ノードＢ（ｅＮＢ）から測定設定（ＭＣ）通信を受信し、前記ＭＣ通信は前記ＵＥで適用されるべき搬送波監視（ＣＭ）設定オプションを含み、
前記ＣＭ設定オプションを識別し、
前記１または複数のアンテナを介して監視されるべき搬送波のリストを受信し、
前記ＣＭ設定オプションで指定されている１または複数の速度で搬送波の前記リスト中の搬送波を監視することによって前記ＵＥで前記ＣＭ設定オプションを適用する、
回路を含み、
前記ＣＭ設定オプションは第１採用設定および第２採用設定を含み、
前記第１採用設定は、搬送波の前記リスト中の全ての搬送波が単一の予め定められた速度で監視されるモード（モード１）を含み、
前記第２採用設定は、搬送波の前記リスト中の搬送波が標準パフォーマンス（ＮＰ）グループまたは低パフォーマンス（ＲＰ）グループに配属されるモード（モード２）を含み、前記ＮＰグループに配属された搬送波は前記単一の予め定められた速度で監視され、前記ＲＰグループ中の搬送波は１または複数のスケールファクタに基づく前記単一の予め定められた速度より低い速度で監視される、装置。
【請求項２】
ユーザ機器（ＵＥ）の装置であって、前記装置は、
前記ＵＥで適用されるべき搬送波監視（ＣＭ）設定オプションを識別し、
１または複数のアンテナを介して監視されるべき搬送波のリストを受信し、
前記ＣＭ設定オプションで指定されている１または複数の速度で搬送波の前記リスト中の搬送波を監視することによって前記ＵＥで前記ＣＭ設定オプションを適用する、
回路を含み、
前記ＣＭ設定オプションはデフォルト設定および採用設定を含み、
前記デフォルト設定は、
搬送波の前記リスト中の全ての搬送波が単一の予め定められた速度で監視されるモード（モード１）、または
搬送波の前記リスト中の搬送波が標準パフォーマンス（ＮＰ）グループまたは低パフォーマンス（ＲＰ）グループのうちの一方に配属されるモード（モード２）であって、前記ＮＰグループに配属された搬送波は予め定められた速度で監視され、前記ＲＰグループ中の搬送波は１または複数のスケールファクタに基づく前記予め定められた速度より低い速度で監視される、前記モード（モード２）、
を含み、
前記採用設定は、
前記デフォルト設定がモード１を含む場合、モード２、
前記デフォルト設定がモード２を含む場合、モード１、
を含む、装置。
【請求項３】
前記回路はさらに前記１または複数のアンテナを介して進化型ノードＢ（ｅＮＢ）から測定設定（ＭＣ）通信を受信し、前記ＭＣ通信は前記ＣＭ設定オプションを含む、請求項２に記載の装置。
【請求項４】
ユーザ機器（ＵＥ）の装置であって、前記装置は、
前記ＵＥで適用されるべき搬送波監視（ＣＭ）設定オプションを識別し、
１または複数のアンテナを介して監視されるべき搬送波のリストを受信し、
前記ＣＭ設定オプションで指定されている１または複数の速度で搬送波の前記リスト中の搬送波を監視することによって前記ＵＥで前記ＣＭ設定オプションを適用し、
前記１または複数のアンテナを介して進化型ノードＢ（ｅＮＢ）から測定設定（ＭＣ）通信を受信し、前記ＭＣ通信は前記ＣＭ設定オプションを含み、前記ＣＭ設定オプションは、デフォルト設定および採用設定を含み、
６ビットを含むＵＥ能力情報を識別し、
前記１または複数のアンテナを介して前記ＵＥ能力情報を前記ｅＮＢに送信する、
回路を含み、
前記ＵＥ能力情報中の１ビットは前記デフォルト設定に対応し、１ビットは前記採用設定に対応し、４ビットは異なる複数の無線アクセス技術（ＲＡＴ）における４つのそれぞれの設定可能な設定に対応する、装置。
【請求項５】
前記デフォルト設定は、前記ＵＥが準拠する技術仕様において予め定められる、請求項４に記載の装置。
【請求項６】
前記デフォルト設定は、搬送波の前記リスト中の全ての搬送波が単一の予め定められた速度で監視されるモード（モード１）を含む、請求項４または５に記載の装置。
【請求項７】
前記デフォルト設定は、搬送波の前記リスト中の搬送波が標準パフォーマンス（ＮＰ）グループまたは低パフォーマンス（ＲＰ）グループのうちの一方に配属されるモード（モード２）を含み、前記ＮＰグループに配属された搬送波は予め定められた速度で監視され、前記ＲＰグループ中の搬送波は１または複数のスケールファクタに基づく前記予め定められた速度より低い速度で監視される、請求項４から６のいずれか一項に記載の装置。
【請求項８】
前記ＣＭ設定オプションは、デフォルト設定ではない採用設定を含む、請求項４に記載の装置。
【請求項９】
前記採用設定は、搬送波の前記リスト中の全ての搬送波が単一の予め定められた速度で監視されるモード（モード１）を含む、請求項８に記載の装置。
【請求項１０】
前記採用設定は、搬送波の前記リスト中の搬送波が標準パフォーマンス（ＮＰ）グループまたは低パフォーマンス（ＲＰ）グループに配属されるモード（モード２）を含み、前記ＮＰグループに配属された搬送波は予め定められた速度で監視され、前記ＲＰグループ中の搬送波は１または複数のスケールファクタに基づく前記予め定められた速度より低い速度で監視される、請求項８または９に記載の装置。
【請求項１１】
前記ＭＣ通信は、前記ＵＥが前記採用設定をサポートする場合、前記ＵＥは前記採用設定を適用することを示す、請求項３または４に記載の装置。
【請求項１２】
前記ＭＣ通信は、測定設定（ＭｅａｓＣｏｎｆｉｇ）情報要素内の機能を含む、請求項１、３および４から１１のいずれか一項に記載の装置。
【請求項１３】
前記回路はさらに前記ｅＮＢから増大した数の周波数を監視する（ＩｎｃＭｏｎ）サポートメッセージを受信し、前記ＩｎｃＭｏｎサポートメッセージは、ネットワークがＩｎｃＭｏｎ機能をサポートするか否かを示す、請求項１、３および４から１２のいずれか一項に記載の装置。
【請求項１４】
前記回路はさらに、前記回路が前記ｅＮＢから前記ＩｎｃＭｏｎサポートメッセージを受信しない場合、デフォルト監視設定を適用する、請求項１３に記載の装置。
【請求項１５】
進化型ノードＢ（ｅＮＢ）の装置であって、前記装置は、
無線セルラネットワークにより適用される搬送波監視（ＣＭ）設定オプションを示す測定設定（ＭＣ）通信を識別し、
監視されるべき搬送波のリストを識別し、
ユーザ機器（ＵＥ）が前記ＣＭ設定オプションにおいて識別された１または複数の速度で搬送波の前記リスト中の搬送波を監視し得るように１または複数のアンテナを介して前記ＭＣ通信および搬送波の前記リストを前記ＵＥに送信する、
回路を備え、
前記ＣＭ設定オプションは第１採用設定および第２採用設定を含み、
前記第１採用設定は、搬送波の前記リスト中の全ての搬送波が単一の予め定められた速度で監視されるモード（モード１）を含み、
前記第２採用設定は、搬送波の前記リスト中の搬送波が標準パフォーマンス（ＮＰ）グループまたは低パフォーマンス（ＲＰ）グループに配属されるモード（モード２）を含み、前記ＮＰグループに配属された搬送波は前記単一の予め定められた速度で監視され、前記ＲＰグループ中の搬送波は１または複数のスケールファクタに基づく前記単一の予め定められた速度より低い速度で監視される、装置。
【請求項１６】
進化型ノードＢ（ｅＮＢ）の装置であって、前記装置は、
無線セルラネットワークにより適用される搬送波監視（ＣＭ）設定オプションを示す測定設定（ＭＣ）通信を識別し、
監視されるべき搬送波のリストを識別し、
ユーザ機器（ＵＥ）が前記ＣＭ設定オプションにおいて識別された１または複数の速度で搬送波の前記リスト中の搬送波を監視し得るように１または複数のアンテナを介して前記ＭＣ通信および搬送波の前記リストを前記ＵＥに送信する、
回路を備え、
前記ＣＭ設定オプションはデフォルト設定および採用設定を含み、
前記デフォルト設定は、
搬送波の前記リスト中の全ての搬送波が単一の予め定められた速度で監視されるモード（モード１）、または
搬送波の前記リスト中の搬送波が標準パフォーマンス（ＮＰ）グループまたは低パフォーマンス（ＲＰ）グループのうちの一方に配属されるモード（モード２）であって、前記ＮＰグループに配属された搬送波は予め定められた速度で監視され、前記ＲＰグループ中の搬送波は１または複数のスケールファクタに基づく前記予め定められた速度より低い速度で監視される、前記モード（モード２）、
を含み、
前記採用設定は、
前記デフォルト設定がモード１を含む場合、モード２、
前記デフォルト設定がモード２を含む場合、モード１、
を含む、装置。
【請求項１７】
進化型ノードＢ（ｅＮＢ）の装置であって、前記装置は、
無線セルラネットワークにより適用される搬送波監視（ＣＭ）設定オプションを示す測定設定（ＭＣ）通信を識別し、
監視されるべき搬送波のリストを識別し、
ユーザ機器（ＵＥ）が前記ＣＭ設定オプションにおいて識別された１または複数の速度で搬送波の前記リスト中の搬送波を監視し得るように１または複数のアンテナを介して前記ＭＣ通信および搬送波の前記リストを前記ＵＥに送信し、前記ＣＭ設定オプションは、デフォルト設定および採用設定を含み、
前記１または複数のアンテナを介して、６ビットを含むＵＥ能力情報を前記ＵＥから受信する、
回路を含み、
前記ＵＥ能力情報中の１ビットは前記デフォルト設定に対応し、１ビットは前記採用設定に対応し、４ビットは異なる複数の無線アクセス技術（ＲＡＴ）における４つのそれぞれの設定可能な設定に対応する、装置。
【請求項１８】
前記デフォルト設定は、搬送波の前記リスト中の全ての搬送波が予め定められた速度で監視されるモード（モード１）を含む、請求項１７に記載の装置。
【請求項１９】
前記デフォルト設定は、搬送波の前記リスト中の搬送波が標準パフォーマンス（ＮＰ）グループまたは低パフォーマンス（ＲＰ）グループに配属されるモード（モード２）を含み、前記ＮＰグループに配属された搬送波は予め定められた速度で監視され、前記ＲＰグループ中の搬送波は１または複数のスケールファクタに基づく低速度で監視される、請求項１７または１８に記載の装置。
【請求項２０】
前記ＣＭ設定オプションは採用設定を含む、請求項１７に記載の装置。
【請求項２１】
前記採用設定は、搬送波の前記リスト中の全ての搬送波が予め定められた速度で監視されるモード（モード１）を含む、請求項２０に記載の装置。
【請求項２２】
前記採用設定は、搬送波の前記リスト中の搬送波が標準パフォーマンス（ＮＰ）グループまたは低パフォーマンス（ＲＰ）グループに配属されるモード（モード２）を含み、前記ＮＰグループに配属された搬送波は予め定められた速度で監視され、前記ＲＰグループ中の搬送波は１または複数のスケールファクタに基づく低速度で監視される、請求項２０または２１に記載の装置。
【請求項２３】
プロセッサに、
１または複数のアンテナを介してセルラ基地局から測定設定（ＭＣ）通信を受信する手順であって、前記ＭＣ通信はユーザ機器（ＵＥ）で適用されるべき搬送波監視（ＣＭ）設定オプションを示し、前記ＣＭ設定オプションは第１採用設定および第２採用設定を含む、受信する手順と、
監視されるべき搬送波のリストを前記セルラ基地局から前記１または複数のアンテナを介して受信する手順と、
前記ＭＣ通信に従って前記ＣＭ設定オプションで指定されている１または複数の速度で搬送波の前記リスト中の搬送波を監視することによって前記ＵＥにおいて前記ＣＭ設定オプションを適用する手順と
を実行させ、
前記第１採用設定は、搬送波の前記リスト中の全ての搬送波が単一の予め定められた速度で監視されるモード（モード１）を含み、
前記第２採用設定は、搬送波の前記リスト中の搬送波が標準パフォーマンス（ＮＰ）グループまたは低パフォーマンス（ＲＰ）グループに配属されるモード（モード２）を含み、前記ＮＰグループに配属された搬送波は前記単一の予め定められた速度で監視され、前記ＲＰグループ中の搬送波は１または複数のスケールファクタに基づく前記単一の予め定められた速度より低い速度で監視される、コンピュータプログラム。
【請求項２４】
プロセッサに、
１または複数のアンテナを介してセルラ基地局から測定設定（ＭＣ）通信を受信する手順であって、前記ＭＣ通信はユーザ機器（ＵＥ）で適用されるべき搬送波監視（ＣＭ）設定オプションを示し、前記ＣＭ設定オプションはデフォルト設定および採用設定を含む、受信する手順と、
監視されるべき搬送波のリストを前記セルラ基地局から前記１または複数のアンテナを介して受信する手順と、
前記ＭＣ通信に従って前記ＣＭ設定オプションで指定されている１または複数の速度で搬送波の前記リスト中の搬送波を監視することによって前記ＵＥにおいて前記ＣＭ設定オプションを適用する手順と
を実行させ、
前記デフォルト設定は、
搬送波の前記リスト中の全ての搬送波が単一の予め定められた速度で監視されるモード（モード１）、または
搬送波の前記リスト中の搬送波が標準パフォーマンス（ＮＰ）グループまたは低パフォーマンス（ＲＰ）グループのうちの一方に配属されるモード（モード２）であって、前記ＮＰグループに配属された搬送波は予め定められた速度で監視され、前記ＲＰグループ中の搬送波は１または複数のスケールファクタに基づく前記予め定められた速度より低い速度で監視される、前記モード（モード２）、
を含み、
前記採用設定は、
前記デフォルト設定がモード１を含む場合、モード２、
前記デフォルト設定がモード２を含む場合、モード１、
を含む、コンピュータプログラム。
【請求項２５】
プロセッサに、
１または複数のアンテナを介してセルラ基地局から測定設定（ＭＣ）通信を受信する手順であって、前記ＭＣ通信はユーザ機器（ＵＥ）で適用されるべき搬送波監視（ＣＭ）設定オプションを示し、前記ＣＭ設定オプションはデフォルト設定および採用設定を含む、受信する手順と、
監視されるべき搬送波のリストを前記セルラ基地局から前記１または複数のアンテナを介して受信する手順と、
前記ＭＣ通信に従って前記ＣＭ設定オプションで指定されている１または複数の速度で搬送波の前記リスト中の搬送波を監視することによって前記ＵＥにおいて前記ＣＭ設定オプションを適用する手順と、
６ビットを含むＵＥ能力情報を識別する手順と、
前記１または複数のアンテナを介して前記ＵＥ能力情報を前記セルラ基地局に送信する手順と、
を実行させ、
前記ＵＥ能力情報中の１ビットは前記デフォルト設定に対応し、１ビットは前記採用設定に対応し、４ビットは異なる複数の無線アクセス技術（ＲＡＴ）における４つのそれぞれの設定可能な設定に対応する、コンピュータプログラム。
【請求項２６】
請求項２３から２５のいずれか一項に記載のコンピュータプログラムを格納する、コンピュータ可読記録媒体。
【発明の詳細な説明】
【背景技術】
【０００１】
セルラネットワークに接続して使用される無線デバイス（例えば携帯電話およびタブレットコンピュータ）の数は過去１０年間に大幅に増えた。これらの無線デバイスの多くは、接続モードのデバイスにより最大３つまでの搬送波周波数を監視することを要求する第３世代パートナーシッププロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）により確立された現存する標準規格に従う。しかし、３ＧＰＰにより確立された進化型ユニバーサル地上無線アクセスネットワーク（Ｅ−ＵＴＲＡＮ：ｅｖｏｌｖｅｄ  ｕｎｉｖｅｒｓａｌ  ｔｅｒｒｅｓｔｒｉａｌ  ｒａｄｉｏ  ａｃｃｅｓｓ  ｎｅｔｗｏｒｋ）またはロングタームエボリューション（ＬＴＥ：Ｌｏｎｇ  Ｔｅｒｍ  Ｅｖｏｌｕｔｉｏｎ）標準規格は、所望の帯域幅を提供するために周波数帯域に関して非常にフレキシブルであるように設計されている。従って、最新のセルラデバイスによりサポートされる周波数帯域および周波数帯域組み合わせの数は非常に大きくなり得る。セルラネットワーク上の高速無線データ転送に対する今日の増大する需要を満たすために、展開される帯域および周波数の数は近年著しく増加している。その結果として、より少数の帯域および周波数が使用されていた時に確立された最低必要条件は、結局、より多くの搬送波の使用をサポートするより多くの最新の無線デバイスにとって不必要に制限的であり得る。
【０００２】
本開示の特徴および利点は、例を挙げて本開示の特徴を共同して説明する添付図面と関連して考察される以下の詳細な説明から明らかとなるであろう。
【図面の簡単な説明】
【０００３】
【図１】一例に従う改変された測定設定（ＭｅａｓＣｏｎｆｉｇ：ＭｅａｓｕｒｅｍｅｎｔＣｏｎｆｉｇｕｒａｔｉｏｎ）情報要素（ＩＥ：ｉｎｆｏｒｍａｔｉｏｎ  ｅｌｅｍｅｎｔ）を記述する典型的なコードを示す。
【０００４】
【図２】一例に従うｍｅａｓＯｂｊｅｃｔＥＵＴＲＡ情報要素（ＩＥ：ｉｎｆｏｒｍａｔｉｏｎ  ｅｌｅｍｅｎｔ）のための典型的フィールド記述を含む表を示す。
【０００５】
【図３】一例に従う改変されたＭｅａｓＣｏｎｆｉｇ情報要素（ＩＥ：ｉｎｆｏｒｍａｔｉｏｎ  Ｅｌｅｍｅｎｔ）の他の一例を記述する典型的コードを示す。
【０００６】
【図４】一例に従う改変されたＭｅａｓＣｏｎｆｉｇ情報要素（ＩＥ：ｉｎｆｏｒｍａｔｉｏｎ  Ｅｌｅｍｅｎｔ）の他の一例を記述する典型的コードを示す。
【０００７】
【図５】一例に従うユーザ機器（ＵＥ：ｕｓｅｒ  ｅｑｕｉｐｍｅｎｔ）の装置の典型的機能性を示すフローチャートである。
【０００８】
【図６】一例に従う進化型ノードＢ（ｅＮＢ：ｅｖｏｌｖｅｄ  Ｎｏｄｅ  Ｂ）の装置の典型的機能性を示すフローチャートである。
【０００９】
【図７】一例に従う無線デバイスの例示を提供する。
【発明を実施するための形態】
【００１０】
次に、図示されている典型的実施態様を参照し、これを記述するために特定の用語がここで使用されるであろう。それでも、それによる範囲の限定は意図されていないことが理解されるであろう。
【００１１】
幾つかの実施態様が開示され記述される前に、請求項に記載された主題は、ここに開示された特定の構造、処理動作、または材料に限定されず、当業者により認識されるであろうそれらの同等物に拡張されるということが理解されるべきである。ここで使用されている用語法は特定の例を説明することのみを目的として用いられているのであって、限定をすることを意図していないということも理解されるべきである。異なる図において同じ参照数字は同じ要素を表す。フローチャートおよび工程に与えられている番号は、動作を説明するときの明瞭性を目的として提供されているのであって、必ずしも特定の順序またはシーケンスを示すものではない。
【００１２】
以下に技術実施態様の最初の概観が与えられ、次に特定の技術実施態様が後でさらに詳しく記述される。この最初の概要は、読者が技術をより速やかに理解するのを手助けするように意図されているのであって、技術の重要な特徴または本質的特徴を特定するように意図されてはおらず、請求項に記載された主題の範囲を限定するように意図されてもいない。
【００１３】
第３世代パートナーシッププロジェクト（３ＧＰＰ：Ｔｈｉｒｄ  Ｇｅｎｅｒａｔｉｏｎ  Ｐａｒｔｎｅｒｓｈｉｐ  Ｐｒｏｊｅｃｔ）ロングタームエボリューション（ＬＴＥ：Ｌｏｎｇ−Ｔｅｒｍ−Ｅｖｏｌｕｔｉｏｎ）リリース１２（ｒｅｌ−１２）（およびおそらく将来のリリース）について、無線アクセスネットワーク１（ＲＡＮ２：Ｒａｄｉｏ−Ａｃｃｅｓｓ−Ｎｅｔｗｏｒｋ−１）ワーキンググループ（ＷＧ：Ｗｏｒｋｉｎｇ  Ｇｒｏｕｐ）は増大した数の搬送波をユーザ機器（ＵＥｓ：ｕｓｅｒ  ｅｑｕｉｐｍｅｎｔｓ）が監視することを可能にする測定能力を導入することを取り決めた。増大した数の搬送波を監視するこの能力は、増大した数の周波数を監視する（ＩｎｃＭｏｎ：ｉｎｃｒｅａｓｅｄ−ｎｕｍｂｅｒ−ｏｆ−ｆｒｅｑｕｅｎｃｉｅｓ−ｔｏ−ｍｏｎｉｔｏｒ）機能と称され得る。ＲＡＮ２  ＷＧは、ユニバーサルモバイルテレコミュニケーションズシステム（ＵＭＴＳ：Ｕｎｉｖｅｒｓａｌ−Ｍｏｂｉｌｅ  Ｔｅｌｅｃｏｍｍｕｎｉｃａｔｉｏｎｓ−Ｓｙｓｔｅｍ）測定値およびＬＴＥ測定値のためにそれぞれ別のケイパビリティビットが定義されるであろうということも取り決めた。しかし、異なるモードを識別するためにこれらのビットを分割するかどうかということ、および、増大した数の搬送波を監視する機能がオプションとなるかどうかということに関しては合意に至っていない。
【００１４】
無線アクセスネットワーク１（ＲＡＮ４：Ｒａｄｉｏ−Ａｃｃｅｓｓ−Ｎｅｔｗｏｒｋ−１）ワーキンググループ（ＷＧ：Ｗｏｒｋｉｎｇ  Ｇｒｏｕｐ）は、ＬＴＥおよびＵＭＴＳのために全ての無線リソース制御（ＲＲＣ：ｒａｄｉｏ−ｒｅｓｏｕｒｃｅ−ｃｏｎｔｒｏｌ）状態においてユーザ機器（ＵＥ：ｕｓｅｒ  ｅｑｕｉｐｍｅｎｔ）が監視し得る異周波数搬送波およびセルの最小数を増やしている。より多くの搬送波を測定し得るように、さらにこれらの測定値を報告し得るように、シグナリング拡張部分が定義されている。例えば、ＵＭＴＳ搬送波に接する追加の異周波数隣接搬送波のブロードキャストを可能にするために、ＳＩＢ１１ｔｅｒと呼ばれる新しいタイプのシステム情報ブロック（ＳＩＢ：Ｓｙｓｔｅｍ  Ｉｎｆｏｒｍａｔｉｏｎ  Ｂｌｏｃｋ）がＵＭＴＳに導入されている。同様に専用シグナリングが使用され得る。
【００１５】
ＩｎｃＭｏｎ機能をサポートするネットワークは、搬送波を低パフォーマンスで測定するべきかどうかをシグナリングすることができる。該ネットワークは、ＵＥが低測定パフォーマンス（ＲＰ：ｒｅｄｕｃｅｄ−ｍｅａｓｕｒｅｍｅｎｔ-ｐｅｒｆｏｒｍａｎｃｅ）搬送波に対して測定を行うのに費やす時間の量を示すスケールファクタも提供することができる。対照的に、低測定パフォーマンスがシグナリングされない搬送波は、標準測定パフォーマンス搬送波のために指定される予め定められた速度で測定される。従って、増大した数の搬送波の監視をサポートするｒｅｌ−１２ＵＥは、レガシー搬送波に対してレガシーＵＥ（例えば、３ＧＰＰリリース１１（ｒｅｌ−１１）に準拠するＵＥｓ）と同じ速度で測定を行うことができる。しかし、ｒｅｌ−１２ＵＥは、追加の周波数に対して同じ速度でまたは低められた速度で測定を行うこともできる。ネットワークにより提供されるスケールファクタは、その低速度を決定するために使用される。低速度で測定される搬送波は低測定パフォーマンス（ＲＰ：ｒｅｄｕｃｅｄ−ｍｅａｓｕｒｅｍｅｎｔ−ｐｅｒｆｏｒｍａｎｃｅ）グループ内にあると言われ、標準速度で測定される搬送波は標準測定パフォーマンス（ＮＰ：ｎｏｒｍａｌ−ｍｅａｓｕｒｅｍｅｎｔ−ｐｅｒｆｏｒｍａｎｃｅ）グループ内にあると言われる。
【００１６】
３ＧＰＰｒｅｌ−１１における搬送波測定間の最大期間（すなわち、測定報告遅延）はＴＩｄｅｎｔｉｆｙ＿Ｉｎｔｅｒ＿ｒ１１と称されることができ、ｒｅｌ−１２についての最大測定報告遅延はＴＩｄｅｎｔｉｆｙ＿Ｉｎｔｅｒ＿ｒ１２と称され得る。量ＴＩｄｅｎｔｉｆｙ＿Ｉｎｔｅｒ＿ｒ１１は、次の方程式により定義される。
【数１】
0006481952.tif 000002
【００１７】
４８０ミリ秒（ｍｓ）期間内で、ＴＢａｓｉｃ＿Ｉｄｅｎｔｉｆｙ＿ＩｎｔｅｒはＵＥが新しい周波数分割二重化（ＦＤＤ：Ｆｒｅｑｕｅｎｃｙ  Ｄｉｖｉｓｉｏｎ  Ｄｕｐｌｅｘｉｎｇ）異周波数セルを識別するために許される最大時間であり、Ｔｉｎｔｅｒ１は異周波数およびＲＡＴ間測定のために利用し得る最小時間である。Ｎｆｒｅｑは、監視されるべき周波数の数を指す。量ＴＩｄｅｎｔｉｆｙ＿Ｉｎｔｅｒ＿ｒ１２は、スケールファクタ（Ｓ）を含み、次の方程式によって定義される。
【数２】
0006481952.tif 000003
【００１８】
ＲＡＮ４  ＷＧは、符号分割多重接続２０００（ＣＤＭＡ２０００：Ｃｏｄｅ−Ｄｉｖｉｓｉｏｎ−Ｍｕｌｔｉｐｌｅ−Ａｃｃｅｓｓ  ２０００）およびグローバルシステムフォーモバイルズ（ＧＳＭ（登録商標）：Ｇｌｏｂａｌ  Ｓｙｓｔｅｍ  ｆｏｒ  Ｍｏｂｉｌｅｓ）はＮＰグループのみに含まれるであろうからＣＤＭＡ２０００もしくはＧＳＭ（登録商標）レイヤのためには追加のシグナリングは不要であると合意した。ＲＡＮ４  ＷＧは、標準および低パフォーマンス搬送波の多くの異なる組み合わせを示すことが可能であるべきであるということについても合意している。ＲＡＮ４  ＷＧは、ユニバーサルテレストリアルラジオアクセスネットワーク（ＵＴＲＡＮ：Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）が増大した数の周波数を監視する（ＩｎｃＭｏｎ：ｉｎｃｒｅａｓｅｄ−ｎｕｍｂｅｒ−ｏｆ−ｆｒｅｑｕｅｎｃｉｅｓ−ｔｏ−ｍｏｎｉｔｏｒ）機能に関連するシグナリングを何ら提供しない場合にはどの搬送波がＮＰグループに属しどの搬送波がＲＰグループに属するかを示すデフォルト準則があると有利であろうという意見でもあった。
【００１９】
スケールファクタと、どの搬送波がどのパフォーマンスグループに属するかを示すこととは、ユニバーサルテレストリアルラジオアクセス（ＵＴＲＡ：Ｕｎｉｖｅｒｓａｌ  Ｔｅｒｒｅｓｔｒｉａｌ  Ｒａｄｉｏ  Ａｃｃｅｓｓ）アイドル、ＵＴＲＡセルページングチャネル（ＰＣＨ：Ｐａｇｉｎｇ  Ｃｈａｎｎｅｌ）、ＵＴＲＡ  ＵＴＲＡＮレジストレーションエリア（ＵＲＡ：ＵＴＲＡ  ＵＴＲＡＮ  Ｒｅｇｉｓｔｒａｔｉｏｎ  Ａｒｅａ）ＰＣＨ、ＵＴＲＡセルフォワードアクセスチャネル（ＦＡＣＨ：Ｆｏｒｗａｒｄ  Ａｃｃｅｓｓ  Ｃｈａｎｎｅｌ）、ＵＴＲＡデディケイテッドチャネル（ＤＣＨ：Ｄｅｄｉｃａｔｅｄ  Ｃｈａｎｎｅｌ）、Ｅ−ＵＴＲＡアイドル、およびＥ−ＵＴＲＡコネクテッドなどのモードにおいてＵＥｓのために必要である。ＵＴＲＡアイドル、ＵＴＲＡ  ＣＥＬＬ  ＰＣＨ、ＵＴＲＡ  ＵＲＡ  ＰＣＨ、またはＬＴＥアイドル状態にあるＵＥｓについては、ＲＡＮ４  ＷＧは、スケールファクタが上位レイヤシグナリングにより設定される必要があるであろうと予想してはいない。
【００２０】
ＵＴＲＡセルＦＡＣＨモードのＵＥｓおよびＵＴＲＡセルＤＣＨモードのＵＥｓについては、ＲＡＮ４  ＷＧは、ＲＰグループ内のＵＴＲＡ搬送波のためにモードあたりに最大で４つのスケールファクタを提供する必要があるであろうと予想している。最大で４つのスケールファクタを明示的にシグナリングすることができ、スケールファクタが明示的にシグナリングされない搬送波のためには追加の１つのデフォルト値を使用することができる。
【００２１】
Ｅ−ＵＴＲＡ無線リソース制御（ＲＲＣ：Ｒａｄｉｏ−Ｒｅｓｏｕｒｃｅ−Ｃｏｎｔｒｏｌ）コネクテッドモードのＵＥｓについては、ＲＡＮ４  ＷＧは、最大で４つのスケールファクタが必要とされるであろうと予想している。最大で４つのスケールファクタを明示的にシグナリングすることができ、スケールファクタが明示的にシグナリングされない搬送波のために追加の１つのデフォルト値を使用することができる。一例では、８および１６の値を有する２つの異なるスケールファクタがあり得る。ＵＴＲＡおよびＥ−ＵＴＲＡの両方に同じスケールファクタを用いることができる。
【００２２】
ＲＡＮ４  ＷＧは、３ＧＰＰ技術仕様（ＴＳｓ：Ｔｅｃｈｎｉｃａｌ  Ｓｐｅｃｉｆｉｃａｔｉｏｎｓ）２５．１３３および３６．１３３においてスケールファクタと測定パフォーマンスとの間のマッピングを明示しようと意図している。パフォーマンス要求条件に対して次のスケールファクタが推定に基づいてマッピングされる：ＳＣＡＬＩＮＧ＿ＦＡＣＴＯＲ＿ＵＴＲＡ＿ＣＯＮＦＩＧ１、ＳＣＡＬＩＮＧ＿ＦＡＣＴＯＲ＿ＵＴＲＡ＿ＣＯＮＦＩＧ２、ＳＣＡＬＩＮＧ＿ＦＡＣＴＯＲ＿ＵＴＲＡ＿ＣＯＮＦＩＧ３、ＳＣＡＬＩＮＧ＿ＦＡＣＴＯＲ＿ＵＴＲＡ＿ＣＯＮＦＩＧ４、ＳＣＡＬＩＮＧ＿ＦＡＣＴＯＲ＿ＥＵＴＲＡ＿ＣＯＮＦＩＧ１、ＳＣＡＬＩＮＧ＿ＦＡＣＴＯＲ＿ＥＵＴＲＡ＿ＣＯＮＦＩＧ２、ＳＣＡＬＩＮＧ＿ＦＡＣＴＯＲ＿ＥＵＴＲＡ＿ＣＯＮＦＩＧ３、およびＳＣＡＬＩＮＧ＿ＦＡＣＴＯＲ＿ＥＵＴＲＡ＿ＣＯＮＦＩＧ４。いつでも一度に１つのスケールファクタだけがＵＥによって使用される。
【００２３】
現在、デフォルト設定のために２つの選択肢を利用することができる。モード１（Ｍｏｄｅ  １）と称される第１の選択肢は、全ての選択肢がＮＰグループに含まれることを要求する。モード１は、全体としての平均測定遅延を小さくすることができる。
【００２４】
モード２（Ｍｏｄｅ  ２）と称される第２の選択肢においては、標準測定パフォーマンスグループに予め設定された数の搬送波を割り当てることができ、ＲＰグループの搬送波のために１セットのスケールファクタを与えることができる；この予め設定された数とスケールファクタとは３ＧＰＰ仕様において提供され得る。ＮＰグループおよびＲＰグループは、所定順序リストの順序に基づいて決定され得る。例えば、予め設定された搬送波の数が３であるとすれば、所定順序リスト上の初めの３つの搬送波はＮＰグループに割り当てられ得る。所定順序リスト中の残りの搬送波はＲＰグループ割り当てられ得る。モード２は、幾つかの搬送波をＲＰグループに含めることを許しながらシグナリングオーバーヘッドを減らすことができる。
【００２５】
ｒｅｌ−１２ネットワークにおいてデフォルト設定を用いることによって得ることのできる利点がある。しかし、３ＧＰＰｒｅｌ−１２に準拠するＵＥを、単に３ＧＰＰｒｅｌ−１１（またはもっと前のリリース）に従うだけのネットワークなどの、より旧式のネットワークに用いなければならないときには、問題が起きる。ｒｅｌ−１１ネットワークは、ＩｎｃＭｏｎ機能をサポートしない。その結果として、ｒｅｌ−１１ネットワークからＩｎｃＭｏｎシグナリングが受信されないときにｒｅｌ−１２ＵＥがｒｅｌ−１２において明示されているデフォルト設定を適用すれば、そのｒｅｌ−１２ＵＥはｒｅｌ−１２遅延要求条件に従うであろう。しかし、ｒｅｌ−１２遅延要求条件は、ｒｅｌ−１１遅延要求条件を満たさないかもしれない。
【００２６】
本開示に従うシステムおよび方法は、３ＧＰＰｒｅｌ−１２標準規格（および、ことによるとその後のリリース）に準拠するネットワークおよび／またはデバイスにより使用され得る幾つかの異なる搬送波監視（ＣＭ：ｃａｒｒｉｅｒ−ｍｏｎｉｔｏｒｉｎｇ）設定オプションおよびシグナリングアプローチを提供する。幾つかの実施態様では、ＩｎｃＭｏｎ機能をサポートしないＵＥｓを考慮に入れるために、ＩｎｃＭｏｎ機能は必須ではなくて任意的であり得る。
【００２７】
第１のＣＭ設定オプション（オプション１）においては、デフォルト設定としてモード１が使用され得る。オプション２では、モード１がデフォルト設定として使用されることができ、モード２も設定可能な設定として採用され得る。オプション３では、モード２がデフォルト設定として使用され得る。オプション４では、モード２がデフォルト設定として使用されることができ、モード１も設定可能な設定として採用され得る。オプション５では、モード１およびモード２の両方が設定可能な設定として採用されることができ、いずれのモードもデフォルトとしては使用されない。オプション１〜５のいずれについても、どの設定がＵＥによって使用されるべきかを示すためにネットワークシグナリングを導入することができる。
【００２８】
図１は、改変された測定設定（ＭｅａｓＣｏｆｉｇ：Ｍｅａｓｕｒｅｍｅｎｔ−Ｃｏｎｆｉｇｕｒａｔｉｏｎ）情報要素（ＩＥ：ｉｎｆｏｒｍａｔｉｏｎ  ｅｌｅｍｅｎｔ）１００の例を記述する典型的コードを示す。該ＭｅａｓＣｏｎｆｉｇ  ＩＥは、ネットワークで使用されるデフォルトＩｎｃＭｏｎ設定をシグナリングするために使用され得る。ＭｅａｓＣｏｎｆｉｇ  ＩＥ１００は、一般的に、ＵＥにより実行されるべき測定を明示し、イントラ周波数、異周波数、および無線アクセス技術間（ｉｎｔｅｒ−ＲＡＴ：ｉｎｔｅｒ−Ｒａｄｉｏ−Ａｃｃｅｓｓ−Ｔｅｃｈｎｏｌｏｇｙ）モビリティならびに測定ギャップの設定を対象とする。ＩｎｃＭｏｎ機能のためのデフォルト設定を特定する変数をＭｅａｓＣｏｎｆｉｇ  ＩＥに付け加えることができる。選択１０２に示されているように、該変数にｄｅｆａｕｌｔＣｏｎｆｉｇＩｎｃＭｏｎ−ｖ１２ｘｙ（他の名称も可能ではあるけれども）という名称を与えることができる。デフォルト設定としてどのモード（例えば、オプション１またはオプション３でのように、それぞれモード１またはモード２）を使用するべきかをＵＥに知らせるために、ＭｅａｓＣｏｎｆｉｇ  ＩＥ１００およびｄｅｆａｕｌｔＣｏｎｆｉｇＩｎｃＭｏｎ−ｖ１２ｘｙ変数を、ネットワークからＵＥに送信される測定設定（ＭＣ：ｍｅａｓｕｒｅｍｅｎｔ  ｃｏｎｆｉｇｕｒａｔｉｏｎ）通信に含めることができる。該ＭＣ通信は、無線リソース制御（ＲＲＣ：ｒａｄｉｏ−ｒｅｓｏｕｒｃｅ−ｃｏｎｔｒｏｌ）再設定メッセージを含むことができる。
【００２９】
ＭｅａｓＣｏｎｆｉｇ  ＩＥは、ＭｅａｓＯｂｊｅｃｔＴｏＡｄｄＭｏｄＬｉｓｔ  ＩＥを含むことができる。ＭｅａｓＯｂｊｅｃｔＴｏＡｄｄＭｏｄＬｉｓｔ  ＩＥは、１または複数のＲＡＴｓ（例えば、Ｅ−ＵＴＲＡＮ、ＵＴＲＡＮ、ＧＳＭ（登録商標）／グローバルエボリューションのためのエンハンストデータレート（ＥＤＧＥ：Ｅｎｈａｎｃｅｄ  Ｄａｔａ  ｒａｔｅｓ  ｆｏｒ  Ｇｌｏｂａｌ  Ｅｖｏｌｕｔｉｏｎ）無線アクセスネットワーク（ＧＥＲＡＮ：Ｒａｄｉｏ  Ａｃｃｅｓｓ  Ｎｅｔｗｏｒｋ）、ＣＤＭＡ２０００）のための測定対象のリストを含むことができる。例えば、Ｅ−ＵＴＲＡＮのための測定対象は、ｍｅａｓＯｂｊｅｃｔＥＵＴＲＡ  ＩＥとして知られている。測定対象のリストは、監視されるべき搬送波のリストを含むことができる。
【００３０】
図２は、ｍｅａｓＯｂｊｅｃｔＥＵＴＲＡ  ＩＥのための典型的フィールド記述を含む表２００を示す。選択２０２に示されているように、文書化目的のためにｄｅｆａｕｌｔＣｏｎｆｉｇＩｎｃＭｏｎ−ｖ１２ｘｙ変数についてフィールド記述を含めることができる。
【００３１】
図３は、改変されたＭｅａｓＣｏｎｆｉｇ  ＩＥ３００の他の１つの例を記述する典型的コードを示す。ＭｅａｓＣｏｎｆｉｇ  ＩＥ３００は、ネットワークで使用されるデフォルトＩｎｃＭｏｎ設定および予め設定されるＩｎｃＭｏｎ設定の両方に関してＵＥに知らせるために使用され得る。ＭｅａｓＣｏｎｆｉｇ  ＩＥ３００は、一般的に、ＵＥにより実行されるべき測定を指定し、イントラ周波数、異周波数、および無線アクセス技術間（ｉｎｔｅｒ−ＲＡＴ：ｉｎｔｅｒ−Ｒａｄｉｏ−Ａｃｃｅｓｓ−Ｔｅｃｈｎｏｌｏｇｙ）モビリティならびに測定ギャップの設定を対象とする。選択３０２に示されているように、ｄｅｆａｕｌｔＣｏｎｆｉｇＩｎｃＭｏｎ−ｖ１２ｘｙと称される変数およびｐｒｅＣｏｎｆｉｇＩｎｃＭｏｎ−ｖ１２ｘｙと称される変数をＭｅａｓＣｏｎｆｉｇ  ＩＥ３００に含めることができる（他の名称も可能ではあるけれども）。ＭｅａｓＣｏｎｆｉｇ  ＩＥ３００、ｄｅｆａｕｌｔＣｏｎｆｉｇＩｎｃＭｏｎ−ｖ１２ｘｙ変数、およびｐｒｅＣｏｎｆｉｇＩｎｃＭｏｎ−ｖ１２ｘｙ変数は、デフォルト設定としてどのモード（例えば、オプション２またはオプション４でのように、モード１またはモード２）を使用し代替採用設定としてどのモードを使用するべきかをＵＥに知らせるために、ネットワークからＵＥに送信される測定設定（ＭＣ：ｍｅａｓｕｒｅｍｅｎｔ−ｃｏｎｆｉｇｕｒａｔｉｏｎ）通信に含まれ得る。該ＭＣ通信は、無線リソース制御（ＲＲＣ：Ｒａｄｉｏ−Ｒｅｓｏｕｒｃｅ−Ｃｏｎｔｒｏｌ）再設定メッセージを含むことができる。
【００３２】
図４は、改変されたＭｅａｓＣｏｎｆｉｇ  ＩＥ４００の他の１つの例を記述する典型的コードを示す。ＭｅａｓＣｏｎｆｉｇ  ＩＥ４００は、ネットワークにより使用される２つの設定可能なＩｎｃＭｏｎ設定に関してＵＥに知らせるために使用され得る。ＭｅａｓＣｏｎｆｉｇ  ＩＥ４００は、一般的に、ＵＥにより実行されるべき測定を指定し、イントラ周波数、異周波数、および無線アクセス技術間（ｉｎｔｅｒ−ＲＡＴ：ｉｎｔｅｒ−Ｒａｄｉｏ−Ａｃｃｅｓｓ−Ｔｅｃｈｎｏｌｏｇｙ）モビリティならびに測定ギャップの設定を対象とする。選択４０２に示されているように、ｃｏｎｆｉｇＩｎｃＭｏｎ−ｖ１２ｘｙと称される変数をＭｅａｓＣｏｎｆｉｇ  ＩＥ４００に含めることができる（他の名称も可能ではあるけれども）。採用モードのうちのどれ（例えば、オプション５でのように、モード１またはモード２）を使用するべきかをＵＥに知らせるために、ＭｅａｓＣｏｎｆｉｇ  ＩＥ４００およびｃｏｎｆｉｇＩｎｃＭｏｎ−ｖ１２ｘｙ変数をネットワークからＵＥに送信される測定設定（ＭＣ：ｍｅａｓｕｒｅｍｅｎｔ−ｃｏｎｆｉｇｕｒａｔｉｏｎ）通信に含めることができ、ここでそのいずれのモードもデフォルト設定としては使用されない。該ＭＣ通信は、無線リソース制御（ＲＲＣ：Ｒａｄｉｏ−Ｒｅｓｏｕｒｃｅ−Ｃｏｎｔｒｏｌ）再設定メッセージを含むことができる。
【００３３】
図５は、ＩｎｃＭｏｎ機能をサポートするユーザ機器（ＵＥ）の装置の典型的機能性５００を示す。この機能性は方法として実現されることができ、あるいはこの機能性は命令として機械上で実行されることができ、それらの命令は、少なくとも１つのコンピュータ可読媒体または１つの非一時的機械可読記憶媒体に含まれる。ＵＥは、例えば、１または複数のアンテナ、１または複数のプロセッサ、およびトランシーバを含むことができる。ブロック５１０のように、ＵＥの回路（例えば、トランシーバ）は、該ＵＥで適用される搬送波監視（ＣＭ：ｃａｒｒｉｅｒ−ｍｏｎｉｔｏｒｉｎｇ）設定オプションを識別することができる。幾つかの例では、その回路は、１または複数のアンテナを介して進化型ノードＢ（ｅＮＢ：ｅｖｏｌｖｅｄ  Ｎｏｄｅ  Ｂ）からＣＭ設定オプションを含む測定設定（ＭＣ：ｍｅａｓｕｒｅｍｅｎｔ−ｃｏｎｆｉｇｕｒａｔｉｏｎ）通信を受信することができる。ＣＭ設定オプションは、上で説明されたようにオプション１〜５のうちのいずれをも含むことができ、デフォルト設定および／または１または複数の採用設定を含むことができる。デフォルト設定および／または採用設定は、上で説明されたようにモード１またはモード２を含むことができる。幾つかの実施態様では、ＭＣ通信は測定設定（ＭｅａｓＣｏｎｆｉｇ：ｍｅａｓｕｒｅｍｅｎｔ−ｃｏｎｆｉｇｕｒａｔｉｏｎ）情報要素内の機能を含むことができる。もしＣＭ設定オプションがデフォルト設定のみを含んでいて採用設定を含んでいなければ、ＣＭ設定オプションはＵＥが準拠する技術仕様において予め定められることができ、従ってＭＣ通信で受信されなくてもよい。
【００３４】
ブロック５２０のように、ＵＥの回路（例えば、トランシーバ）は、１または複数のアンテナを介して監視されるべき搬送波のリストも受信することができる。ブロック５３０のように、ＵＥの回路（例えば、１または複数のプロセッサ）は、ＣＭ設定オプションで指定されている１または複数の速度で搬送波のリスト中の搬送波を監視することによってＵＥでＣＭ設定オプションを適用することができる。幾つかの例では、回路は６ビットを含むＵＥ能力情報を識別することもできる。その６ビット中の１ビットはデフォルト設定に対応することができ、その６ビット中の他の１つのビットは採用設定に対応することができ、その６ビット中の４ビットは異なる無線アクセス技術（ＲＡＴｓ：ｒａｄｉｏ  ａｃｃｅｓｓ  ｔｅｃｈｎｏｌｏｇｉｅｓ）における４つのそれぞれの設定可能な設定に対応することができる。ＵＥの回路（例えば、トランシーバ）は、１または複数のアンテナを介してＵＥ能力情報をｅＮＢに送信することができる。幾つかの例では、ＵＥの回路は、ｅＮＢから該ｅＮＢがＩｎｃＭｏｎ機能をサポートするか否かを示すＩｎｃＭｏｎサポートメッセージを受信するようにも構成され得る。もしＩｎｃＭｏｎメッセージが受信されなければ、ＵＥの回路（例えば、１または複数のプロセッサ）はデフォルトＣＭ設定を適用するように構成され得る。デフォルトＣＭ設定は、技術仕様において予め設定され得る。ＵＥ能力情報は、無線リソース制御シグナリングを用いて送信され得る。
【００３５】
図６は、ＩｎｃＭｏｎ機能をサポートする進化型ノードＢ（ｅＮＢ：ｅｖｏｌｖｅｄ  Ｎｏｄｅ  Ｂ）の装置の典型的機能性６００を示す。該機能性は方法として実現されることができ、あるいはこの機能性は命令として機械上で実行されることができ、それらの命令は、少なくとも１つのコンピュータ可読媒体または１つの非一時的機械可読記憶媒体に含まれる。ｅＮＢは、例えば、１または複数のアンテナ、１または複数のプロセッサ、およびトランシーバを含むことができる。ブロック６１０のように、ｅＮＢの回路（例えば、１または複数のプロセッサ）は測定設定（ＭＣ：ｍｅａｓｕｒｅｍｅｎｔ−ｃｏｎｆｉｇｕｒａｔｉｏｎ）通信を識別することができ、このＭＣ通信はネットワークにより適用される搬送波監視（ＣＭ：ｃａｒｒｉｅｒ−ｍｏｎｉｔｏｒｉｎｇ）設定オプションを示す。ＣＭ設定オプションは、上で説明されたようにオプション１〜５のいずれをも含むことができるとともに、デフォルト設定および／または１または複数の採用設定を含むことができる。上で説明されたように、デフォルト設定および／または採用設定はモード１またはモード２を含むことができる。
【００３６】
例えば、ＣＭ設定オプションはデフォルト設定を含むことができる。デフォルト設定は、搬送波のリスト中の全搬送波を予め定められた速度で監視するモード（モード１）を含むことができる。他の１つの例では、デフォルト設定は、搬送波のリスト中の搬送波を標準パフォーマンス（ＮＰ：ｎｏｒｍａｌ−ｐｅｒｆｏｒｍａｎｃｅ）グループまたは低パフォーマンス（ＲＰ：ｒｅｄｕｃｅｄ−ｐｅｒｆｏｒｍａｎｃｅ）グループに配属するモード（モード２）を含むことができ、ＮＰグループに配属された搬送波は予め定められた速度で監視され、ＲＰグループ中の搬送波は１または複数のスケールファクタに基づく低速度で監視される。
【００３７】
他の１つの例では、ＣＭ設定オプションは、１または複数の採用設定を含むこともできる。例えば、モード１またはモード２のうちの１つは採用設定であり得、他方のモードはデフォルト設定であり得る。他の１つの例では、モード１およびモード２の両方が採用設定であり得る。
【００３８】
ブロック６２０のように、ｅＮＢの回路（例えば、１または複数のプロセッサ）は、監視されるべき搬送波のリストを識別することができる。ブロック６３０のように、ｅＮＢの回路（例えば、トランシーバ）は、１または複数のアンテナを介してＭＣ通信および搬送波のリストをユーザ機器（ＵＥ：ｕｓｅｒ  ｅｑｕｉｐｍｅｎｔ）に送信することができる。ＭＣ通信および／または搬送波のリストは、専用のシグナリングを介してまたはブロードキャストシグナリングを介して送信され得る。
【００３９】
図７は、ユーザ機器（ＵＥ：ｕｓｅｒ  ｅｑｕｉｐｍｅｎｔ）、移動局（ＭＳ：ｍｏｂｉｌｅ  ｓｔａｔｉｏｎ）、移動無線デバイス、移動通信デバイス、タブレット、ハンドセット、または他のタイプの無線デバイスなどの無線デバイスの例図を提供する。該無線デバイスは、基地局（ＢＳ：ｂａｓｅ  ｓｔａｔｉｏｎ）、進化型ノードＢ（ｅＮＢ：ｅｖｏｌｖｅｄ  Ｎｏｄｅ  Ｂ）、ベースバンドユニット（ＢＢＵ：ｂａｓｅｂａｎｄ  ｕｎｉｔ）、リモートラジオヘッド（ＲＲＨ：ｒｅｍｏｔｅ  ｒａｄｉｏ  ｈｅａｄ）、リモートラジオエクイプメント（ＲＲＥ：ｒｅｍｏｔｅ  ｒａｄｉｏ  ｅｑｕｉｐｍｅｎｔ）、中継局（ＲＳ：ｒｅｌａｙ  ｓｔａｔｉｏｎ）、ラジオエクイプメント（ＲＥ：ｒａｄｉｏ  ｅｑｕｉｐｍｅｎｔ）、もしくは他のタイプの無線ワイドエリアネットワーク（ＷＷＡＮ：ｗｉｒｅｌｅｓｓ  ｗｉｄｅ  ａｒｅａ  ｎｅｔｗｏｒｋ）アクセスポイントなどの、ノード、マクロノード、低電力ノード（ＬＰＮ：ｌｏｗ  ｐｏｗｅｒ  ｎｏｄｅ）、または送信局と通信するように構成された１または複数のアンテナを含むことができる。該無線デバイスは、３ＧＰＰ  ＬＴＥ、ＷｉＭＡＸ、高速パケットアクセス（ＨＳＰＡ：Ｈｉｇｈ  Ｓｐｅｅｄ  Ｐａｃｋｅｔ  Ａｃｃｅｓｓ）、ブルートゥース（登録商標）、およびＷｉＦｉを含む少なくとも１つの無線通信標準規格を用いて通信するように構成され得る。該無線デバイスは、各無線通信標準規格のために別々のアンテナを用いて、または複数の無線通信標準規格向けの共有アンテナを用いて、通信をすることができる。該無線デバイスは、無線ローカルエリアネットワーク（ＷＬＡＮ：ｗｉｒｅｌｅｓｓ  ｌｏｃａｌ  ａｒｅａ  ｎｅｔｗｏｒｋ）、無線パーソナルエリアネットワーク（ＷＰＡＮ：ｗｉｒｅｌｅｓｓ  ｐｅｒｓｏｎａｌ  ａｒｅａ  ｎｅｔｗｏｒｋ）、および／またはＷＷＡＮにおいて通信をすることができる。
【００４０】
図７は、該無線デバイスからの音声入出力に用いられ得るマイクロフォンおよび１または複数のスピーカの図も提供する。ディスプレイスクリーンは、液晶ディスプレイ（ＬＣＤ：ｌｉｑｕｉｄ  ｃｒｙｓｔａｌ  ｄｉｓｐｌａｙ）スクリーン、または有機発光ダイオード（ＯＬＥＤ：ｏｒｇａｎｉｃ  ｌｉｇｈｔ  ｅｍｉｔｔｉｎｇ  ｄｉｏｄｅ）ディスプレイなどの他のタイプのディスプレイスクリーンであり得る。ディスプレイスクリーンは、タッチスクリーンとして構成され得る。タッチスクリーンは、容量型、抵抗型、または他のタイプのタッチスクリーン技術を用いることができる。処理および表示能力を提供するためにアプリケーションプロセッサおよびグラフィクスプロセッサを内部メモリに結合させることができる。データ入出力オプションをユーザに提供するために不揮発性メモリポートを用いることもできる。該無線デバイスの記憶容量を拡張するために該不揮発性メモリポートを使用することもできる。追加のユーザ入力を提供するためにキーボードを該無線デバイスに統合するかまたは該無線デバイスに無線で接続することができる。タッチスクリーンを用いてバーチャルキーボードを提供することもできる。
【００４１】
種々の技術、またはそれらのいくつかの態様または部分は、フロッピー（登録商標）ディスク、ＣＤ−ＲＯＭｓ、ハードディスク、非一時的コンピュータ可読記憶媒体、または他の任意の機械可読記憶媒体などの有形媒体において具体化されるプログラムコード（すなわち、命令）の形をとることができ、そのプログラムコードがコンピュータなどの機械にロードされて実行されるとき、該機械はそれらの種々の技術を実践する装置となる。回路は、ハードウェア、ファームウェア、プログラムコード、実行可能コード、コンピュータ命令、および／またはソフトウェアを含むことができる。非一時的コンピュータ可読記憶媒体は、信号を含まないコンピュータ可読記憶媒体であり得る。プログラマブルコンピュータ上でのプログラムコード実行の場合には、該コンピューティングデバイスは、プロセッサ、該プロセッサにより読まれ得る記憶媒体（揮発性および不揮発性メモリおよび／または記憶素子を含む）、少なくとも１つの入力デバイス、および少なくとも１つの出力デバイスを含むことができる。該揮発性および不揮発性メモリおよび／または記憶素子は、ＲＡＭ、ＥＰＲＯＭ、フラッシュドライブ、光学式ドライブ、磁気ハードディスク、ソリッドステートドライブ、または電子的データを格納するための他の媒体であり得る。該ノードおよび無線デバイスは、トランシーバモジュール、カウンターモジュール、処理モジュール、および／またはクロックモジュールもしくはタイマーモジュールをも含むことができる。ここに記載された種々の技術を実行しまたは利用することのできる１または複数のプログラムは、アプリケーションプログラミングインターフェース（ＡＰＩ：ａｐｐｌｉｃａｔｉｏｎ  ｐｒｏｇｒａｍｍｉｎｇ  ｉｎｔｅｒｆａｃｅ）、再利用可能なコントロール、などを使用することができる。そのようなプログラムは、コンピュータシステムと通信するために高レベルの手順型のもしくはオブジェクト指向のプログラミング言語で実装され得る。しかし、その１つまたは複数のプログラムは、所望ならば、アセンブリ言語または機械語で実装され得る。いずれにせよ、該言語は、コンパイルド言語もしくは解釈言語であることができ、ハードウェアインプリメンテーションと組み合わされ得る。
【００４２】
ここで使用されるプロセッサという用語は、汎用プロセッサ、ＶＬＳＩ、ＦＰＧＡｓなどの専用プロセッサ、および他のタイプの専用プロセッサ、ならびに無線通信を送信し、受信し、処理するためにトランシーバに使用されるベースバンドプロセッサを含むことができる。
【００４３】
この明細書に記載された機能ユニットの多くは、特にそれらの実装独立性をより強調するために、モジュールと称されていることが理解されるべきである。例えば、モジュールは、特注ＶＬＳＩ回路もしくはゲートアレイ、論理チップ、トランジスタなどのオフザシェルフ半導体、または他のディスクリートコンポーネントを含むハードウェア回路として実装され得る。モジュールは、フィールドプログラマブルゲートアレイ、プログラマブルアレイロジック、プログラマブルロジックデバイスなどのプログラマブルハードウェアデバイスにおいても実装され得る。
【００４４】
モジュールは、種々のタイプのプロセッサにより実行されるソフトウェアにおいても実装され得る。実行可能なコードの識別されるモジュールは、例えば、コンピュータ命令の１または複数の物理的または論理ブロックを含むことができ、それらは例えばオブジェクト、プロシージャ、または関数として編成され得る。それにもかかわらず、識別されるモジュールの実行ファイルは、物理的に一緒に置かれなくてもよくて、論理的に互いに結合されると該モジュールを構成して該モジュールの規定の目的を達成する異なる場所に格納された異種の命令を含むことができる。
【００４５】
実際、実行可能コードのモジュールは、単一の命令であるかまたは多数の命令であることができて、数個の異なるコードセグメントに、複数の異なるプログラムに、さらに数個の記憶装置に分散させられることさえできる。同様に、演算データは、識別されてここではモジュールの中に示されることができ、任意の適切な形で具体化されて任意の適切なタイプのデータ構造の中で編成されることができる。演算データは、単一のデータセットとして集められることができ、あるいは複数の異なる記憶装置に分散させられることを含めて複数の異なる場所に分散させられることができ、さらに、少なくとも部分的に、単に電子的信号としてシステムまたはネットワーク上に存在することができる。モジュールは、所望の機能を実行することのできるエージェントを含んで、受動的であるかまたは能動的であり得る。
【００４６】
ここで使用されるプロセッサという用語は、汎用プロセッサ、ＶＬＳＩ、ＦＰＧＡｓなどの専用プロセッサ、および他のタイプの専用プロセッサ、ならびに無線通信を送信し、受信し、処理するためにトランシーバに使用されるベースバンドプロセッサを含むことができる。
【００４７】
この明細書全体にわたって"例"への言及は、その例に関連して記述される特定の特徴、構造、または特性が本開示の少なくとも１つの実施態様に含まれることを意味する。従って、この明細書の種々の箇所における"例において"という句の出現は、必ずしもすべて同じ実施態様に言及するものではない。
【００４８】
ここで使用される複数のアイテム、構造要素、構成要素、および／または材料は、便宜上共通のリストにおいて提示され得る。しかし、これらのリストは、リストの各項があたかも独立した一意の項として個別に識別されるかのように解釈されるべきである。従って、そのようなリストのどの項も、逆の指示がない限り、単にそれらが共通のグループ内で提示されていることに基づいてその同じリストの他の項の事実上の同等物とみなされるべきではない。さらに、本開示の種々の実施態様および例は、ここでそれらの種々の構成要素のための選択肢と共に言及され得る。そのような実施態様、例、および選択肢は、互いの事実上の同等物であるとみなされるべきではなくて、別々の自律的表現であるとみなされるべきである。
【００４９】
さらに、記載された特徴、構造、または特性は１または複数の実施態様において任意の適切な仕方で組み合わされ得る。次の記述において、ここで記述されたものの実施態様の完全な理解を提供するために、レイアウト、距離、ネットワーク例などの例など、多数の特定の詳細が提供される。しかし、当業者は、幾つかの実施態様はその特定の詳細のうちの１または複数を用いずに、あるいは他の方法、構成要素、レイアウトなどを用いて実施され得ることを認めるであろう。他の例では、開示の態様をあいまいにすることを避けるために、周知の構造、材料、または操作は詳細に示され記述されてはいない。
【００５０】
上記の例は１または複数の特定のアプリケーションにおいて本開示の原理を説明しているが、独創的才能を働かせなくても、本開示の原理および概念から逸脱することなく実装の形、使用法および詳細に多数の改変を加えることができることは当業者にとっては明白であろう。従って、下記の請求項以外による本開示の限定は意図されていない。
［項目１］
ユーザ機器（ＵＥ）の装置であって、上記装置は、
上記ＵＥで適用されるべき搬送波監視（ＣＭ）設定オプションを識別し、
１または複数のアンテナを介して監視されるべき搬送波のリストを受信し、
上記ＣＭ設定オプションで指定されている１または複数の速度で搬送波の上記リスト中の搬送波を監視することによって上記ＵＥで上記ＣＭ設定オプションを適用する、
ように構成された回路を含む、装置。
［項目２］
上記回路はさらに１または複数のアンテナを介して進化型ノードＢ（ｅＮＢ）から測定設定（ＭＣ）通信を受信するように構成され、上記ＭＣ通信は上記ＣＭ設定オプションを含む、項目１に記載の装置。
［項目３］
上記ＣＭ設定オプションはデフォルト設定を含む、項目１に記載の装置。
［項目４］
上記デフォルト設定は、上記ＵＥが準拠するように構成されている技術仕様において予め定められる、項目３に記載の装置。
［項目５］
上記デフォルト設定は、搬送波の上記リスト中の全ての搬送波が単一の予め定められた速度で監視されるモード（モード１）を含む、項目３に記載の装置。
［項目６］
上記デフォルト設定は、搬送波の上記リスト中の搬送波が標準パフォーマンス（ＮＰ）グループまたは低パフォーマンス（ＲＰ）グループのうちの一方に配属されるモード（モード２）を含み、上記ＮＰグループに配属された搬送波は予め定められた速度で監視され、上記ＲＰグループ中の搬送波は１または複数のスケールファクタに基づく上記予め定められた速度より低い速度で監視される、項目３に記載の装置。
［項目７］
上記ＣＭ設定オプションは、デフォルト設定ではない採用設定を含む、項目２に記載の装置。
［項目８］
上記採用設定は、搬送波の上記リスト中の全ての搬送波が単一の予め定められた速度で監視されるモード（モード１）を含む、項目７に記載の装置。
［項目９］
上記採用設定は、搬送波の上記リスト中の搬送波が標準パフォーマンス（ＮＰ）グループまたは低パフォーマンス（ＲＰ）グループに配属されるモード（モード２）を含み、上記ＮＰグループに配属された搬送波は予め定められた速度で監視され、上記ＲＰグループ中の搬送波は１または複数のスケールファクタに基づく上記予め定められた速度より低い速度で監視される、項目７に記載の装置。
［項目１０］
上記ＣＭ設定オプションは、デフォルト設定および採用設定を含む、項目２に記載の装置。
［項目１１］
上記ＭＣ通信は、上記ＵＥが上記採用設定をサポートする場合、上記ＵＥは上記採用設定を適用することを示す、項目１０に記載の装置。
［項目１２］
上記回路はさらに、
６ビットを含むＵＥ能力情報を識別し、
上記１または複数のアンテナを介して上記ＵＥ能力情報を上記ｅＮＢに送信する、
ように構成される、項目１０に記載の装置。
［項目１３］
上記ＵＥ能力情報中の１ビットは上記デフォルト設定に対応し、１ビットは上記採用設定に対応し、４ビットは異なる複数の無線アクセス技術（ＲＡＴ）における４つのそれぞれの設定可能な設定に対応する、項目１２に記載の装置。
［項目１４］
上記ＣＭ設定オプションは第１採用設定および第２採用設定を含み、
上記第１採用設定は、搬送波の上記リスト中の全ての搬送波が単一の予め定められた速度で監視されるモード（モード１）を含み、
上記第２採用設定は、搬送波の上記リスト中の搬送波が標準パフォーマンス（ＮＰ）グループまたは低パフォーマンス（ＲＰ）グループに配属されるモード（モード２）を含み、上記ＮＰグループに配属された搬送波は上記単一の予め定められた速度で監視され、上記ＲＰグループ中の搬送波は１または複数のスケールファクタに基づく上記単一の予め定められた速度より低い速度で監視される、項目２に記載の装置。
［項目１５］
上記ＭＣ通信は、測定設定（ＭｅａｓＣｏｎｆｉｇ）情報要素内の機能を含む、項目１に記載の装置。
［項目１６］
上記回路はさらに上記ｅＮＢから増大した数の周波数を監視する（ＩｎｃＭｏｎ）サポートメッセージを受信するように構成され、上記ＩｎｃＭｏｎサポートメッセージは、ネットワークがＩｎｃＭｏｎ機能をサポートするか否かを示す、項目１に記載の装置。
［項目１７］
上記回路はさらに、上記回路が上記ｅＮＢから上記ＩｎｃＭｏｎサポートメッセージを受信しない場合、デフォルト監視設定を適用するように構成される、項目１６に記載の装置。
［項目１８］
進化型ノードＢ（ｅＮＢ）の装置であって、上記装置は、
無線セルラネットワークにより適用される搬送波監視（ＣＭ）設定オプションを示す測定設定（ＭＣ）通信を識別し、
監視されるべき搬送波のリストを識別し、
ユーザ機器（ＵＥ）が上記ＣＭ設定オプションにおいて識別された１または複数の速度で搬送波の上記リスト中の搬送波を監視し得るように１または複数のアンテナを介して上記ＭＣ通信および搬送波の上記リストを上記ユーザ機器（ＵＥ）に送信する、
ように構成された回路を備える、装置。
［項目１９］
上記ＣＭ設定オプションはデフォルト設定を含む、項目１８に記載の装置。
［項目２０］
上記デフォルト設定は、搬送波の上記リスト中の全ての搬送波が予め定められた速度で監視されるモード（モード１）を含む、項目１９に記載の装置。
［項目２１］
上記デフォルト設定は、搬送波の上記リスト中の搬送波が標準パフォーマンス（ＮＰ）グループまたは低パフォーマンス（ＲＰ）グループに配属されるモード（モード２）を含み、上記ＮＰグループに配属された搬送波は予め定められた速度で監視され、上記ＲＰグループ中の搬送波は１または複数のスケールファクタに基づく低速度で監視される、項目１９に記載の装置。
［項目２２］
上記ＣＭ設定オプションは採用設定を含む、項目１８に記載の装置。
［項目２３］
上記採用設定は、搬送波の上記リスト中の全ての搬送波が予め定められた速度で監視されるモード（モード１）を含む、項目２２に記載の装置。
［項目２４］
上記採用設定は、搬送波の上記リスト中の搬送波が標準パフォーマンス（ＮＰ）グループまたは低パフォーマンス（ＲＰ）グループに配属されるモード（モード２）を含み、上記ＮＰグループに配属された搬送波は予め定められた速度で監視され、上記ＲＰグループ中の搬送波は１または複数のスケールファクタに基づく低速度で監視される、項目２２に記載の装置。
［項目２５］
１または複数のプロセッサにより実行されると、
１または複数のアンテナを介してセルラ基地局から測定設定（ＭＣ）通信を受信することであって、上記ＭＣ通信は上記ＵＥで適用されるべき搬送波監視（ＣＭ）設定オプションを示し、上記ＣＭ設定オプションはデフォルト設定を含む、上記受信することと、
監視されるべき搬送波のリストを上記セルラ基地局から上記１または複数のアンテナを介して受信することと、
上記ＭＣ通信に従って上記ＣＭ設定オプションで指定されている１または複数の速度で搬送波の上記リスト中の搬送波を監視することによって上記ＵＥにおいて上記ＣＭ設定オプションを適用することと
を実行する命令を記憶した非一時的コンピュータ可読媒体。
［項目２６］
上記デフォルト設定は、
搬送波の上記リスト中の全ての搬送波が単一の予め定められた速度で監視されるモード（モード１）、または
搬送波の上記リスト中の搬送波が標準パフォーマンス（ＮＰ）グループまたは低パフォーマンス（ＲＰ）グループのうちの一方に配属されるモード（モード２）であって、上記ＮＰグループに配属された搬送波は予め定められた速度で監視され、上記ＲＰグループ中の搬送波は１または複数のスケールファクタに基づく上記予め定められた速度より低い速度で監視される、上記モード（モード２）、
を含む、項目２５に記載の非一時的コンピュータ可読媒体。
［項目２７］
上記ＣＭ設定オプションはさらに採用設定を含み、上記採用設定は、
上記デフォルト設定がモード１を含む場合、モード２、
上記デフォルト設定がモード２を含む場合、モード１、
を含む、項目２６に記載の非一時的コンピュータ可読媒体。
【図１】
0006481952.tif 000004
【図２】
0006481952.tif 000005
【図３】
0006481952.tif 000006
【図４】
0006481952.tif 000007
【図５】
0006481952.tif 000008
【図６】
0006481952.tif 000009
【図７】
0006481952.tif 000010